(57)【要約】      （修正有）【課題】操作性を向上させることのできる光部品収納ケースを提供する。【解決手段】光配線ユニットは、光コネクタが接続される接続部を有する光部品収納ケースと、光部品収納ケースを収納するラックとを備える。ラックは、光部品収納ケースを所定位置で係止させる係止部１４Ａ、１４Ｂを有する。光部品収納ケースは、本体部２１と、タブ３０とを有する。本体部は、係止部に引っ掛かる爪部２５Ａを有する。タブは、本体部に対して所定方向に移動可能に設けられ、爪部を係止部から外すための解除部を有する。タブが引っ張られると、解除部によって爪部が係止部から外れるとともに、タブから力を受けて光部品収納ケースが所定位置から引き出される。【選択図】図４
2018010033.tif 000002
【特許請求の範囲】
【請求項１】
光コネクタが接続される接続部を有する光部品収納ケースと、前記光部品収納ケースを収納するラックとを備えた光配線ユニットであって、
前記ラックは、前記光部品収納ケースを所定位置で係止させる係止部を有し、
前記光部品収納ケースは、本体部と、タブとを有し、
前記本体部は、前記係止部に引っ掛かる爪部を有し、
前記タブは、前記本体部に対して所定方向に移動可能に設けられ、前記爪部を前記係止部から外すための解除部を有し、
前記タブが引っ張られると、前記解除部によって前記爪部が前記係止部から外れるとともに、前記タブから力を受けて前記光部品収納ケースが前記所定位置から引き出される
ことを特徴とする光配線ユニット。
【請求項２】
光コネクタが接続される接続部を有する光部品収納ケースと、前記光部品収納ケースを収納するラックとを備えた光配線ユニットであって、
前記ラックは、前記光部品収納ケースを所定位置で係止させる係止部を有し、
前記光部品収納ケースは、本体部と、タブとを有し、
前記本体部は、前記係止部に引っ掛かる爪部を有し、
前記タブは、前記本体部に対して所定方向に移動可能に設けられ、前記爪部を前記係止部から外すための解除部を有し、
前記タブが押し込まれると、前記解除部によって前記爪部が前記係止部から外れるとともに、前記タブから力を受けて前記光部品収納ケースが前記所定位置から押し込まれる
ことを特徴とする光配線ユニット。
【請求項３】
請求項１又は２に記載の光配線ユニットであって、
前記タブは、前記光部品収納ケースが前記所定位置にあるときに、前記ラックから見て作業者側に配置されていることを特徴とする光配線ユニット。
【請求項４】
請求項１〜３のいずれかに記載の光配線ユニットであって、
前記タブは、作業者側から見て下側に配置されていることを特徴とする光配線ユニット。
【請求項５】
請求項１〜４のいずれかに記載の光配線ユニットであって、
前記タブの端部には、前記光コネクタから延び出る光ファイバコードを束ねるための結束部が設けられていることを特徴とする光配線ユニット。
【請求項６】
請求項５に記載の光配線ユニットであって、
前記結束部は、前記接続部から見て下側に配置されていることを特徴とする光配線ユニット。
【請求項７】
請求項５又は６に記載の光配線ユニットであって、
前記結束部は、前記光部品収納ケースが前記所定位置にあるときに、前記ラックから見て作業者側に配置されていることを特徴とする光配線ユニット。
【請求項８】
請求項１〜７のいずれかに記載の光配線ユニットであって、
前記ラックは、前記光部品収納ケースの移動を案内するレールを有し、
前記係止部は前記レールに形成されており、
前記解除部は、前記レールに挿通されていることを特徴とする光配線ユニット。
【請求項９】
光コネクタが接続される接続部を有し、ラックに収容される光部品収納ケースであって、
前記光部品収納ケースは、本体部と、タブとを有し、
前記本体部は、前記光部品収納ケースを所定位置で係止させるために前記ラックに形成された係止部に引っ掛かる爪部を有し、
前記タブは、前記本体部に対して所定方向に移動可能に設けられ、前記爪部を前記係止部から外すための解除部を有し、
前記タブが引っ張られると、前記解除部によって前記爪部が前記係止部から外れるとともに、前記タブから力を受けて前記所定位置から引き出される
ことを特徴とする光部品収納ケース。
【請求項１０】
光コネクタが接続される接続部を有し、ラックに収容される光部品収納ケースであって、
前記光部品収納ケースは、本体部と、タブとを有し、
前記本体部は、前記光部品収納ケースを所定位置で係止させるために前記ラックに形成された係止部に引っ掛かる爪部を有し、
前記タブは、前記本体部に対して所定方向に移動可能に設けられ、前記爪部を前記係止部から外すための解除部を有し、
前記タブが押し込まれると、前記解除部によって前記爪部が前記係止部から外れるとともに、前記タブから力を受けて前記所定位置から押し込まれる
ことを特徴とする光部品収納ケース。
【発明の詳細な説明】
【技術分野】
【０００１】
本発明は、光配線ユニット及び光部品収納ケースに関する。
【背景技術】
【０００２】
光配線盤や光配線箱等を構成する光配線ユニットとして、光分岐ユニット等からなる光部品収納ケースをラック内に挿入して収容するものが知られている（例えば特許文献１参照）。特許文献１記載の光部品収納ケースには、取手部と、第１ラッチと、第２ラッチとが設けられている。取手部は、光部品収納ケースの挿入操作及び引出操作を行う際に作業者が把持する部位である。第１ラッチは、収納位置で光部品収容ケースをラックに係止するものであり、第２ラッチは、引出位置で光部品収容ケースをラックに係止するものである。
【先行技術文献】
【特許文献】
【０００３】
【特許文献１】特許第４８５５３１０号公報
【発明の概要】
【発明が解決しようとする課題】
【０００４】
特許文献１記載の光配線ユニットによれば、光部品収納ケースを収納位置から引出位置に引き出す際には、まず取手部を下方に弾性変形させて第１ラッチの係止を解除し、その上で取手部を前方に引っ張って光部品収納ケースを前方に移動させることになる。つまり、このとき、作業者は、取手部を下方に弾性変形させるラッチ解除操作と、取手部を前方に引っ張る引出操作とを並行して行う必要があるが、取手部の操作方向が異なっているため、ラッチ解除操作と引出操作との並行作業が不便である。同様に、光部品収納ケースを引出位置から収納位置に挿入する際においても、取手部の操作方向が異なっているため、ラッチ解除操作と挿入操作との並行作業が不便である。
【０００５】
本発明の幾つかの実施形態は、光部品収納ケースの操作性を向上させることを目的とする。
【課題を解決するための手段】
【０００６】
本発明の幾つかの実施形態は、光コネクタが接続される接続部を有する光部品収納ケースと、前記光部品収納ケースを収納するラックとを備えた光配線ユニットであって、前記ラックは、前記光部品収納ケースを所定位置で係止させる係止部を有し、前記光部品収納ケースは、本体部と、タブとを有し、前記本体部は、前記係止部に引っ掛かる爪部と、端部に前記爪部を有し弾性変形するアーム部とを有し、前記タブは、前記本体部に対して所定方向に移動可能に設けられ、前記爪部を前記係止部から外すためのラッチ解除部を有し、前記タブが引っ張られると、前記ラッチ解除部によって前記爪部が前記係止部から外れるとともに、前記タブから力を受けて前記光部品収納ケースが前記所定位置から引き出されることを特徴とする光配線ユニットである。
また、本発明の幾つかの実施形態は、光コネクタが接続される接続部を有する光部品収納ケースと、前記光部品収納ケースを収納するラックとを備えた光配線ユニットであって、前記ラックは、前記光部品収納ケースを所定位置で係止させる係止部を有し、前記光部品収納ケースは、本体部と、タブとを有し、前記本体部は、前記係止部に引っ掛かる爪部と、端部に前記爪部を有し弾性変形するアーム部とを有し、前記タブは、前記本体部に対して所定方向に移動可能に設けられ、前記爪部を前記係止部から外すためのラッチ解除部を有し、前記タブが押し込まれると、前記ラッチ解除部によって前記爪部が前記係止部から外れるとともに、前記タブから力を受けて前記光部品収納ケースが前記所定位置から押し込まれることを特徴とする光配線ユニットである。
【０００７】
本発明の他の特徴については、後述する明細書及び図面の記載により明らかにする。
【発明の効果】
【０００８】
本発明の幾つかの実施形態によれば、光部品収納ケースの操作性を向上させることができる。
【図面の簡単な説明】
【０００９】
【図１】図１は、第１実施形態のキャビネット１内の光配線ユニット７の斜視図である。
【図２】図２Ａ及び図２Ｂは、キャビネット１内の光配線ユニット７の側面図である。
【図３】図３は、光部品収納ケース２０の分解図である。
【図４】図４Ａは、収納位置での下ガイド部材２２及びタブ３０の断面図である。図４Ｂは、収納位置にある光部品収納ケース２０のタブ３０を前側に引っ張ったときの下ガイド部材２２及びタブ３０の断面図である。
【図５】図５Ａは、引出位置での下ガイド部材２２及びタブ３０の断面図である。図５Ｂは、引出位置にある光部品収納ケース２０のタブ３０を後側へ押したときの下ガイド部材２２及びタブ３０の断面図である。
【図６】図６は、第２実施形態のキャビネット１内の光配線ユニット７を前側から見た説明図である。
【発明を実施するための形態】
【００１０】
後述する明細書及び図面の記載から、少なくとも以下の事項が明らかとなる。
【００１１】
光コネクタが接続される接続部を有する光部品収納ケースと、前記光部品収納ケースを収納するラックとを備えた光配線ユニットであって、前記ラックは、前記光部品収納ケースを所定位置で係止させる係止部を有し、前記光部品収納ケースは、本体部と、タブとを有し、前記本体部は、前記係止部に引っ掛かる爪部を有し、前記タブは、前記本体部に対して所定方向に移動可能に設けられ、前記爪部を前記係止部から外すための解除部を有し、前記タブが引っ張られると、前記解除部によって前記爪部が前記係止部から外れるとともに、前記タブから力を受けて前記光部品収納ケースが前記所定位置から引き出されることを特徴とする光配線ユニットが明らかとなる。このような光配線ユニットによれば、光部品収納ケースの操作性を向上させることができる。
【００１２】
光コネクタが接続される接続部を有する光部品収納ケースと、前記光部品収納ケースを収納するラックとを備えた光配線ユニットであって、前記ラックは、前記光部品収納ケースを所定位置で係止させる係止部を有し、前記光部品収納ケースは、本体部と、タブとを有し、前記本体部は、前記係止部に引っ掛かる爪部を有し、前記タブは、前記本体部に対して所定方向に移動可能に設けられ、前記爪部を前記係止部から外すための解除部を有し、前記タブが押し込まれると、前記解除部によって前記爪部が前記係止部から外れるとともに、前記タブから力を受けて前記光部品収納ケースが前記所定位置から押し込まれることを特徴とする光配線ユニットが明らかとなる。このような光配線ユニットによれば、光部品収納ケースの操作性を向上させることができる。
【００１３】
前記タブは、前記光部品収納ケースが前記所定位置にあるときに、前記ラックから見て作業者側に配置されていることが望ましい。これにより、タブを作業者が操作しやすくなる。
【００１４】
前記タブは、作業者側から見て下側に配置されていることが望ましい。これにより、当該光配線ユニットの直上に別の光配線ユニットが設置された場合であっても、上側に配置された別の光配線ユニットに作業者の手が当たらずに済むため、タブの引出作業が容易になる。
【００１５】
前記タブの端部には、前記光コネクタから延び出る光ファイバコードを束ねるための結束部が設けられていることが望ましい。これにより、光ファイバコードが絡み合うことを抑制できる。
【００１６】
前記結束部は、前記接続部から見て下側に配置されていることが望ましい。これにより、接続部に接続された光コネクタから重力に従って垂れ下がる光ファイバコードを結束部によって束ねやすくなる。
【００１７】
前記結束部は、前記光部品収納ケースが前記所定位置にあるときに、前記ラックから見て作業者側に配置されていることが望ましい。これにより、結束部に束ねられた光ファイバコードがラックに干渉せずに済む。
【００１８】
前記ラックは、前記光部品収納ケースの移動を案内するレールを有し、前記係止部は前記レールに形成されており、前記解除部は、前記レールに挿通されていることが望ましい。これにより、レールが、光部品収納ケースの移動を案内する機能と、解除部の移動経路としての機能とを兼ねることができ、構造の簡略化・小型化を図ることができる。
【００１９】
光コネクタが接続される接続部を有し、ラックに収容される光部品収納ケースであって、
前記光部品収納ケースは、本体部と、タブとを有し、前記本体部は、前記光部品収納ケースを所定位置で係止させるために前記ラックに形成された係止部に引っ掛かる爪部を有し、前記タブは、前記本体部に対して所定方向に移動可能に設けられ、前記爪部を前記係止部から外すための解除部を有し、前記タブが引っ張られると、前記解除部によって前記爪部が前記係止部から外れるとともに、前記タブから力を受けて前記所定位置から引き出されることを特徴とする光部品収納ケースが明らかとなる。このような光部品収納ケースによれば、光部品収納ケースの操作性を向上させることができる。
【００２０】
光コネクタが接続される接続部を有し、ラックに収容される光部品収納ケースであって、
前記光部品収納ケースは、本体部と、タブとを有し、前記本体部は、前記光部品収納ケースを所定位置で係止させるために前記ラックに形成された係止部に引っ掛かる爪部を有し、前記タブは、前記本体部に対して所定方向に移動可能に設けられ、前記爪部を前記係止部から外すための解除部を有し、前記タブが押し込まれると、前記解除部によって前記爪部が前記係止部から外れるとともに、前記タブから力を受けて前記所定位置から押し込まれることを特徴とする光部品収納ケースが明らかとなる。このような光部品収納ケースによれば、光部品収納ケースの操作性を向上させることができる。
【００２１】
＝＝＝第１実施形態＝＝＝
図１は、第１実施形態のキャビネット１内の光配線ユニット７の斜視図である。図２Ａ及び図２Ｂは、キャビネット１内の光配線ユニット７の側面図である。
【００２２】
以下の説明では、図１に示すように各方向を定義する。すなわち、ラック１０に対する光部品収納ケース２０の移動方向（挿入方向・引出方向）を「前後方向」とし、ラック１０から見て作業者の側を「前」とし、逆側を「後」とする。また、作業者から見て右側を「右」とし、左側を「左」とする。また、前後方向及び左右方向に垂直な方向を「上下方向」とする。本実施形態では、上下方向は鉛直方向になっている。
【００２３】
また、図２Ａに示すように、光部品収納ケース２０が後側に移動した位置のことを「収納位置」と呼ぶ。また、図２Ｂに示すように、光部品収納ケース２０が前側に移動した位置のことを「引出位置」と呼ぶことがある。また、光部品収納ケース２０が収納位置（図２Ａ参照）から引出位置（図２Ｂ参照）に移動することを「引出」と呼ぶことがあり、そのための操作のことを「引出操作」と呼ぶことがある。光部品収納ケース２０が引出位置（図２Ｂ参照）から収納位置（図２Ａ参照）に移動することを「挿入」又は「押込」と呼ぶことがあり、そのための操作のことを「挿入操作」又は「押込操作」と呼ぶことがある。
【００２４】
光配線ユニット７は、キャビネット１の収納棚３に収納されて用いられる。キャビネット１には収納棚３が多段に設けられているが、図１には、そのうちの１段分の収納棚３が示されている。各収納棚３の前側（光配線ユニット７の前側）には、光ファイバコードを配線・支持するためのトレー５が形成されている。トレー５の前縁には、仕切り板５Ａが設けられている。仕切り板５Ａは、トレー５上の光ファイバコードが外側にこぼれることを防止している。
【００２５】
光配線ユニット７は、ラック１０と、光部品収納ケース２０とを有する。
【００２６】
ラック１０は、複数の光部品収納ケース２０を収容するための収容部である。第１実施形態では、ラック１０は、複数の光部品収納ケース２０を左右方向に並べて収容する（但し、図１では、ラック１０が収容可能な光部品収納ケース２０の一部のみが示されている）。ラック１０は、上部フレーム１１及び下部フレーム１３を有し、上部フレーム１１と下部フレーム１３との間の空間に光部品収納ケース２０が収容されることになる。ラック１０は、光部品収納ケース２０を前後方向に移動可能に収容する。
【００２７】
上部フレーム１１は、ラック１０の上側のフレームを構成する板状の部位である。上部フレーム１１は、複数の上スライドレール１１Ａを有する。上スライドレール１１Ａは、光部品収納ケース２０を前後方向に案内するための部位であり、前後方向に沿ってスリット状に形成されている。但し、上スライドレール１１Ａの形状は、スリット状に限られるものではなく、溝状でもよい。複数の上部スライドレールは、左右方向に等間隔に並んで配置されている。
【００２８】
下部フレーム１３は、ラック１０の下側のフレームを構成する部位である。下部フレーム１３は、複数の下スライドレール１３Ａを有する。下スライドレール１３Ａは、光部品収納ケース２０を前後方向に案内するための部位であり、前後方向に沿ってスリット状に形成されている。複数の下スライドレール１３Ａは、左右方向に等間隔に並んで配置されている。
【００２９】
下部フレーム１３は、第１係止部１４Ａ及び第２係止部１４Ｂを有する。第１係止部１４Ａは、光部品収納ケース２０を収納位置で係止するための部位である。第２係止部１４Ｂは、光部品収納ケース２０を引出位置で係止するための部位である。後述するように、光部品収納ケース２０の下部の爪部２５Ａ（図３参照）が第１係止部１４Ａや第２係止部１４Ｂに引っ掛かることによって、光部品収納ケース２０が収納位置又は引出位置でラッチされることになる。このため、第１係止部１４Ａ及び第２係止部１４Ｂは、光部品収納ケース２０の係合部２５とともにラッチ機構を構成する。第１係止部１４Ａ及び第２係止部１４Ｂとの前後方向の間隔は、図２Ｂに示す引出量Ｌに相当する。
【００３０】
下部フレーム１３は、光部品収納ケース２０を下から支持する機能を有する。下部フレーム１３は、引出位置における光部品収納ケース２０を支持するため、上部フレーム１１よりも前側に突出して形成された支持部１６を有する。支持部１６は、収納位置にある光部品収納ケース２０の前側の端面から引出量Ｌ（図２Ｂ参照）以上の長さで前側に突出して形成されていることが望ましい。これにより、引出位置にある光部品収納ケース２０の下部の全体を支持することができる。但し、支持部１６の前後方向の長さが引出量Ｌよりも短くてもよい。
【００３１】
支持部１６の更に前側には、規制部１７が設けられている。規制部１７は、光部品収納ケース２０の前抜けによる脱落を防止するための部材である。規制部１７は、規制板１７Ａと、留め具１７Ｂとを有する。規制板１７Ａは、下スライドレール１３Ａの前側の開口を塞ぐための板状の部材である。また、後述するように、規制板１７Ａは、光部品収納ケース２０（詳しくは、下ガイド部材２２の前側端面２４３）に接触し、光部品収納ケース２０が引出位置よりも前側に移動することを規制する。言い換えると、規制板１７Ａと光部品収納ケース２０（詳しくは、下ガイド部材２２の前側端面２４３）とが接触したときに、光部品収納ケース２０が引出位置にあることになる。留め具１７Ｂは、規制板１７Ａを下部フレーム１３に固定するための部材である。留め具１７Ｂを外して、規制板１７Ａを取り外せば、下スライドレール１３Ａの前側が開口し、これにより、光部品収納ケース２０を引出位置よりも更に前側に引き出して、光部品収納ケース２０をラック１０から取り出すことが可能である。
【００３２】
光部品収納ケース２０は、光カプラ、光スプリッタ、光フィルタなどの光部品や光ファイバの余長部や融着接続部などを収容するケースである。光部品収納ケース２０は、光モジュール、収納ケースなどと呼ばれることもある。また、光部品収納ケース２０が光スプリッタを収納する場合には、光部品収納ケース２０は、光分岐ユニットなどと呼ばれることもある。
【００３３】
光部品収納ケース２０は、光コネクタを接続するための複数のアダプタ２１Ｂ（接続部）を有する。なお、本実施形態の光部品収納ケース２０は、前側の端面に複数のアダプタ２１Ｂが配置されているが、後側の端面にアダプタ２１Ｂが配置されていても良い。複数のアダプタ２１Ｂは、上下方向に並んで配置されている。アダプタ２１Ｂは、例えばＬＣコネクタ、ＳＣコネクタ、ＭＵコネクタなどの光コネクタを接続可能である。
【００３４】
図３は、光部品収納ケース２０の分解図である。光部品収納ケース２０は、本体部２１と、下ガイド部材２２と、タブ３０とを有する。
【００３５】
本体部２１は、光部品や光ファイバの余長部や融着接続部などを収容するケース状の部材である。本体部２１は、収容部２１Ａと、アダプタ２１Ｂと、上ガイド部２１Ｃとを有する。収容部２１Ａは、光部品や光ファイバの余長部などを収容する部位である。アダプタ２１Ｂは、光コネクタが接続される接続部である。図中の一部のアダプタ２１Ｂには光コネクタが接続されており、光コネクタの接続されていないアダプタ２１Ｂにはキャップが取り付けられている。上ガイド部２１Ｃは、上スライドレール１１Ａに沿って光部品収納ケース２０を前後方向に案内するための部位である。上ガイド部２１Ｃは、収容部２１Ａの上面から上側に突出した突条の部位であり、前後方向に沿った線条に形成された部位である。
【００３６】
下ガイド部材２２は、下スライドレール１３Ａに沿って光部品収納ケース２０を前後方向に案内するための部材である。下ガイド部材２２は、本体部２１の下側に固定されている。本実施形態では、下ガイド部材２２は、本体部２１とは別部材であり、本体部２１に固定された部材であるが、下ガイド部材２２が本体部２１と一体的に形成されていても良い。下ガイド部材２２は、板部２３と、下ガイド部２４と、係合部２５とを有する。なお、下ガイド部材２２が本体部２１と一体的に形成されている場合、本体部２１が係合部２５等を有することになる。
【００３７】
板部２３は、本体部２１の下側に固定される板状の部位である。板部２３の上面と本体部２１の下面との間に挟まれるように、タブ３０が前後方向に移動可能に配置されている。光部品収納ケース２０をラック１０に収容すると、板部２３の下面が下部フレーム１３の上面に接し、これにより、光部品収納ケース２０が下部フレーム１３から支持されることになる。板部２３は、上凸部２３１と、挿通穴２３２とを有する。上凸部２３１は、板部２３の上面（本体部２１側の面）から上側に突出した部位である。上凸部２３１は、タブ３０の貫通穴３２Ａに挿通され、上凸部２３１の上部が、本体部２１の下面に形成されている取付穴２１Ｄに嵌合することによって、下ガイド部材２２が本体部２１に固定されている。後述するように、上凸部２３１の前後方向の端面は、タブ３０の貫通穴３２Ａの内面と接触する接触面となる。上凸部２３１がタブ３０の貫通穴３２Ａの内面と接触することによって、上凸部２３１を介して本体部２１がタブ３０から力を受けて、光部品収納ケース２０を移動させることが可能となる。挿通穴２３２は、後述するタブ３０のラッチ解除部３５を下側へ挿通させるための穴である。挿通穴２３２は、タブ３０のラッチ解除部３５を下側へ挿通させるため、前後方向に沿った長穴になっている。上凸部２３１は少なくとも２つ形成されており、挿通穴２３２は、２つの上凸部２３１の前後方向の間に配置されている。
【００３８】
下ガイド部２４は、下スライドレール１３Ａに沿って光部品収納ケース２０を前後方向に案内するための部位である。下ガイド部２４は、板部２３の下側に設けられている。下ガイド部２４は、前側ガイド部２４Ａと、後側ガイド部２４Ｂとを有する。前側ガイド部２４Ａ及び後側ガイド部２４Ｂは、それぞれ下突条部２４１と幅広部２４２とを有する逆Ｔ字状の部位である。下突条部２４１は、板部２３の下面から下側に突出した突条の部位であり、前後方向に沿った線状に形成された部位である。下突条部２４１は、スリット状の下スライドレール１３Ａの中に入り込むように配置される。幅広部２４２は、下突条や下スライドレール１３Ａの幅（左右方向の寸法）よりも幅広な部位である。幅広部２４２は、下スライドレール１３Ａの下側に配置され、これにより、下ガイド部材２２（光部品収納ケース２０）が下スライドレール１３Ａから上側に抜けることが防止されている。
【００３９】
下ガイド部２４の前側端面２４３は、規制板１７Ａと接触する接触面となる。下ガイド部２４の前側端面２４３が規制板１７Ａと接触することによって、光部品収納ケース２０が引出位置よりも前側に移動することが規制される。下ガイド部２４の前側端面２４３が規制板１７Ａと接触したとき、光部品収納ケース２０は、引出位置に位置する。
【００４０】
係合部２５は、下ガイド部材２２（光部品収納ケース２０）を下スライドレール１３Ａの第１係止部１４Ａ又は第２係止部１４Ｂに係合させる部位である。係合部２５は、爪部２５Ａとアーム部２５Ｂとを有する。爪部２５Ａは、第１係止部１４Ａ又は第２係止部１４Ｂに引っ掛かる爪状の部位である。爪部２５Ａが第１係止部１４Ａに引っ掛かることによって、光部品収納ケース２０が収納位置でラッチされることになる。また、爪部２５Ａが第２係止部１４Ｂに引っ掛かることによって、光部品収納ケース２０が引出位置でラッチされることになる。アーム部２５Ｂは、端部に爪部２５Ａを有する片持ち梁状の部位である。後述するように、アーム部２５Ｂが弾性変形することによって、爪部２５Ａが第１係止部１４Ａ又は第２係止部１４Ｂに引っ掛かったラッチ状態を解除させることができる。係合部２５は、板部２３材の下側に配置されており、爪部２５Ａは上側に向かって突出するように形成されている。
【００４１】
タブ３０は、光部品収納ケース２０の引出や挿入（押込）の際に作業者が操作する部材である。作業者は、光部品収納ケース２０を収納位置（図２Ａ参照）から引出位置（図２Ｂ参照）に移動させるとき、タブ３０を引っ張ることになる。また、作業者は、光部品収納ケース２０を引出位置（図２Ｂ参照）から収納位置（図２Ａ参照）に移動させるとき、タブ３０を押し込むことになる。ここでは、タブ３０は、作業者が操作しやすいように柔軟な材料で構成された樹脂成型部品である。タブ３０は、本体部２１や下ガイド部材２２に対して、前後方向に移動可能に構成されている。タブ３０が下ガイド部材２２に対して前後方向に移動することによって、第１係止部１４Ａ又は第２係止部１４Ｂに引っ掛かっている爪部２５Ａを外し、ラッチ状態を解除させることができる。
【００４２】
本実施形態では、図２Ａに示すように、光部品収納ケース２０が収納位置にあるときに、タブ３０の前側の端部（前端）が下部フレーム１３の支持部１６よりも前側に位置している。これにより、タブ３０がラック１０から見て前側（作業者側）に突出して配置されるため、収納位置にある光部品収納ケース２０のタブ３０を作業者が操作しやすくなる。また、本実施形態では、図２Ｂに示すように、光部品収納ケース２０が引出位置にあるときに、タブ３０の前端がトレー５の仕切り板５Ａよりも後側に位置している。これにより、タブ３０がトレー５から突出せず済む。また、このように構成するために、光部品収納ケース２０が収納位置にあるときのタブ３０の前端から仕切り板５Ａまでの距離Ｌ０は、光部品収納ケース２０の引出量Ｌよりも大きい（Ｌ０＞Ｌ）。
【００４３】
また、本実施形態では、タブ３０は、作業者側から見て下側に配置されている。これにより、光配線ユニット７の直上に別の光配線ユニット７が設置された場合であっても、タブ３０が下側に配置されていれば、タブ３０を操作する作業者の手が上側に配置された別の光配線ユニットに当たらずに済むため、タブ３０の引出作業等が容易になる。なお、仮にタブ３０が作業者側から見て上側に配置されていると、上側に配置された別の光配線ユニットに作業者の手が当たってしまうため、タブ３０の引出作業等が不便になる。なお、「作業者側から見て下側」とは、光配線ユニット７を前側から見たときのタブ３０の上下方向の位置が下側に寄っていること（上下方向の中心よりも下側にあること）を意味し、タブ３０が光配線ユニット７の一番下に位置していることに限定される意味ではない。
【００４４】
タブ３０は、タブ本体３１と、ラッチ解除部３５とを有する。
【００４５】
タブ本体３１は、タブ３０を構成する板状の部材である。タブ本体３１の後部３２は、本体部２１の下面と、下ガイド部材２２の板部２３の上面との間に挟まれるように配置されている。後部３２には、貫通穴３２Ａが形成されている。貫通穴３２Ａの前後方向の縁部は、下ガイド部材２２の上凸部２３１の端面と接触する接触部となる。貫通穴３２Ａは少なくとも２つ形成されており、２つの貫通穴３２Ａの間にラッチ解除部３５が配置されている。タブ本体３１の前部は、本体部２１や下ガイド部材２２から前側に突出した突出部３３となっている。突出部３３は、作業者が操作する部位（操作部）となる。突出部３３の前側には、結束部３４が形成されている。
【００４６】
結束部３４は、光部品収納ケース２０に接続された光コネクタから延び出る光ファイバコードを束ねる部位である。結束部３４は、光部品収納ケース２０に接続可能な光コネクタの数（ここでは８個）に相当する本数の光ファイバコードを束ねられるだけの穴（内部空間）を有する。結束部３４は、一対の拘束部３４Ａを有する。拘束部３４Ａは、片持ち梁状の部位であり、光ファイバコードの動きを制限する部位である。左右に並ぶ一対の拘束部３４Ａの間に空間が形成されており、一対の拘束部３４Ａの間に光ファイバコードが挿通されることによって、光ファイバコードが束ねられることになる。一対の結束部３４の端部の間は狭められており、結束部３４に束ねられた光ファイバコードが結束部３４の外側に外れにくくなっている。
【００４７】
言い換えると、結束部３４にはスリット３４Ｂが形成されている。スリット３４Ｂは、結束部３４の内部空間（一対の拘束部３４Ａの間の空間）を開放するための切り込みである。作業者は、スリット３４Ｂを通じて外側から結束部３４の内部空間（一対の拘束部３４Ａの間の空間）に光ファイバコードを挿入させることができる。本実施形態では、スリット３４Ｂがタブ３０の前端に形成されているが、スリット３４Ｂがタブ３０の右側又は左側に形成されていてもよい。
【００４８】
結束部３４は、その結束部３４の属する光部品収納ケース２０に接続された光コネクタの光ファイバコードを束ねることになる。これにより、他の光部品収納ケース２０に接続された光コネクタの光ファイバコードとの間で光ファイバコードが絡み合うことを抑制できる。
【００４９】
結束部３４は、光部品収納ケース２０のアダプタ２１Ｂよりも下側に配置されている（図２Ａ及び図２Ｂ参照）。言い換えると、結束部３４は、アダプタ２１Ｂから見て下側に配置されている。このため、アダプタ２１Ｂに接続された光コネクタから重力に従って垂れ下がる光ファイバコードを結束部３４によって束ねやすくなる。但し、光部品収納ケース２０の上側にタブ３０を配置し、光部品収納ケース２０のアダプタ２１Ｂよりも上側に結束部３４を配置してもよい。
【００５０】
本実施形態では、図２Ａに示すように、光部品収納ケース２０が収納位置にあるときに、結束部３４が下部フレーム１３の支持部１６（ラック１０の一部）よりも前側に位置しており、結束部３４がトレー５上に位置している。これにより、光部品収納ケース２０が収納位置にあるときに、結束部３４に束ねられた光ファイバコードが下部フレーム１３（支持部１６）に干渉せずに済む（ラック１０にぶつからずに済む）。また、本実施形態では、図２Ｂに示すように、光部品収納ケース２０が引出位置にあるときに、結束部３４がトレー５の仕切り板５Ａよりも後側に位置している。これにより、結束部３４に束ねられた光ファイバコードがトレー５の外部にこぼれ出ずに済む。
【００５１】
ラッチ解除部３５は、第１係止部１４Ａ又は第２係止部１４Ｂに引っ掛かっている爪部２５Ａを外すための部位である。つまり、ラッチ解除部３５は、ラッチ状態を解除させるための部位である。ラッチ解除部３５は、タブ本体３１から下側に突出した板状の部位である。ラッチ解除部３５は、下スライドレール１３Ａに挿通された状態で下スライドレール１３Ａに沿って前後方向に移動可能なように薄い板状に構成されている。なお、下スライドレール１３Ａは、光部品収納ケース２０を前後方向に案内する機能と、ラッチ解除部３５の移動経路としての機能（ラッチ解除部３５の前後方向の移動を許容する機能）とを兼ねることになり、これにより、光配線ユニット７の構造の簡略化・小型化を実現している。また、ラッチ解除部３５は、下ガイド部材２２の板部２３の挿通穴２３２に上側から挿通されており、下ガイド部材２２の爪部２５Ａに対向して配置されている。ラッチ解除部３５は、凹部３５Ａ（ラッチ許容部）と、第１解除部３６Ａと、第２解除部３６Ｂとを有する。なお、本実施形態では、タブ３０は、第１解除部３６Ａと第２解除部３６Ｂの両方を備えた構成であるが、どちらか一方のみを備える構成であってもよい。
【００５２】
凹部３５Ａは、ラッチ解除部３５の下縁の凹んだ部位である。凹部３５Ａは、第１解除部３６Ａと第２解除部３６Ｂとの間に配置されている。凹部３５Ａは、爪部２５Ａが第１係止部１４Ａ又は第２係止部１４Ｂに引っ掛かることを許容する部位である。つまり、凹部３５Ａは、爪部２５Ａが第１係止部１４Ａ又は第２係止部１４Ｂに引っ掛かることを許容するラッチ許容部に相当する。爪部２５Ａが凹部３５Ａに対向するとき、爪部２５Ａは、第１係止部１４Ａ又は第２係止部１４Ｂに引っ掛かることが可能になる。
【００５３】
第１解除部３６Ａ及び第２解除部３６Ｂは、爪部２５Ａを下側に押し下げるための部位である。第１解除部３６Ａ及び第２解除部３６Ｂは、凹部３５Ａよりも下側（爪部２５Ａ側）に突出した部位である。第１解除部３６Ａ及び第２解除部３６Ｂは、凹部３５Ａから離れるほど下側になるように傾斜した傾斜面をそれぞれ有する。第１解除部３６Ａは、凹部３５Ａの後側に配置されている。第１解除部３６Ａは、後側ほど下側になるように傾斜した傾斜面を有する。第２解除部３６Ｂは、凹部３５Ａの前側に配置されている。第２解除部３６Ｂは、前側ほど下側になるように傾斜した傾斜面を有する。後述するように、第１解除部３６Ａが爪部２５Ａを下側に押し下げることによって、第１係止部１４Ａに引っ掛かっている爪部２５Ａを外すことができる。また、第２解除部３６Ｂが爪部２５Ａを下側に押し下げることによって、第２係止部１４Ｂに引っ掛かっている爪部２５Ａを外すことができる。
【００５４】
＜引出操作について＞
次に、光部品収納ケース２０を収納位置（図２Ａ参照）から引出位置（図２Ｂ参照）に移動させるための引出操作について説明する。
【００５５】
図４Ａは、収納位置での下ガイド部材２２及びタブ３０の断面図である。
既に説明したように、下ガイド部材２２は、本体部２１の下側に配置されている。下ガイド部材２２の板部２３は、下部フレーム１３の上側に配置されており、板部２３の下面は、下部フレーム１３の上面に接している。タブ３０のタブ本体３１は、本体部２１の下面と、下ガイド部材２２の板部２３の上面との間に挟まれるように配置されている。タブ３０の貫通穴３２Ａの内部には、下ガイド部材２２の上凸部２３１が配置されている。タブ３０のタブ本体３１から下側には、ラッチ解除部３５が下側に向かって突出して設けられている。ラッチ解除部３５は、下ガイド部材２２の板部２３の挿通穴２３２に挿通されているとともに、下スライドレール１３Ａに挿通されている。下ガイド部材２２の幅広部２４２と係合部２５のアーム部２５Ｂは、下スライドレール１３Ａの下側に配置されている。下スライドレール１３Ａには、第１係止部１４Ａ（及び第２係止部１４Ｂ）が形成されている。
【００５６】
図４Ａに示すように、光部品収納ケース２０が収納位置にあるとき、ラッチ解除部３５の凹部３５Ａは、第１係止部１４Ａの位置にある。爪部２５Ａは、凹部３５Ａと対向しており、第１係止部１４Ａに引っ掛かっている。これにより、光部品収納ケース２０は、収納位置にラッチされた状態（ラッチ状態）となっている。
【００５７】
引出操作の際、作業者は、収納位置にある光部品収納ケース２０のタブ３０の突出部３３（図２Ａ参照）を摘まみ、タブ３０を前側に引っ張ることになる。図４Ｂは、収納位置にある光部品収納ケース２０のタブ３０を前側に引っ張ったときの下ガイド部材２２及びタブ３０の断面図である。
【００５８】
既に説明したように、タブ３０は、本体部２１や下ガイド部材２２に対して、前後方向に移動可能に構成されている。このため、タブ３０が前側に引っ張られると、タブ３０は、下ガイド部材２２に対して前側に移動する。この結果、第１係止部１４Ａの位置にあった凹部３５Ａは前側に移動し、代わりに、ラッチ解除部３５の第１解除部３６Ａが第１係止部１４Ａの位置に移動する。第１解除部３６Ａは、凹部３５Ａよりも下側（爪部２５Ａ側）に突出した部位であるため、第１解除部３６Ａが第１係止部１４Ａの位置に移動すると、爪部２５Ａが第１解除部３６Ａによって下側に押し下げられる。第１解除部３６Ａが爪部２５Ａを下側に押し下げることによって、図４Ｂに示すように、第１係止部１４Ａに引っ掛かっていた爪部２５Ａが外れて、ラッチ状態が解除される。
【００５９】
また、タブ３０が下ガイド部材２２に対して前側に移動すると、タブ３０の貫通穴３２Ａの縁部が、下ガイド部材２２の上凸部２３１の後側端面と接触する。このため、第１係止部１４Ａに引っ掛かっていた爪部２５Ａが外れた状態（ラッチ解除状態）でタブ３０が前側に引っ張られると、光部品収納ケース２０の本体部２１は、下ガイド部材２２の上凸部２３１を介してタブ３０から前側への力を受けて、前側へ移動することになる。これにより、光部品収納ケース２０が収納位置（図２Ａ、図４Ｂ参照）から引出位置（図２Ｂ、図５Ａ参照）に移動させることができる。
【００６０】
なお、本実施形態では、２つの上凸部２３１の前後方向の間に挿通穴２３２が配置されており、２つの貫通穴３２Ａの間にラッチ解除部３５が配置されている。このため、図４Ｂに示すように、タブ３０の貫通穴３２Ａの縁部と、下ガイド部材２２の上凸部２３１の後側端面との接触箇所は２箇所になり、この２箇所（接触箇所）は、係合部２５の爪部２５Ａやタブ３０のラッチ解除部３５を前後方向に挟むように配置されることになる。これにより、接触箇所が偏って配置される場合と比べて、ラッチ解除を安定的に行うことができる。
【００６１】
図５Ａは、引出位置での下ガイド部材２２及びタブ３０の断面図である。
作業者がタブ３０を前側に引っ張り、光部品収納ケース２０が収納位置（図２Ａ参照）から引出位置（図２Ｂ参照）に到達すると、下ガイド部２４の前側端面２４３が規制板１７Ａに接触し、光部品収納ケース２０が引出位置よりも前側に移動することが規制される。この段階で、作業者は、タブ３０を前側に引っ張る作業を止めて、タブ３０から手を離すことになる。そうすると、弾性変形していたアーム部２５Ｂが元に戻ろうとする力によって、爪部２５Ａが第１解除部３６Ａの傾斜面を押圧し、これにより、タブ３０が下ガイド部材２２に対して後側に移動する。この結果、第１係止部１４Ａの位置にあった第１解除部３６Ａは後側に移動し、代わりに、ラッチ解除部３５の凹部３５Ａが第１係止部１４Ａの位置に移動する。凹部３５Ａが第１係止部１４Ａの位置に移動すると、爪部２５Ａが第２係止部１４Ｂに引っ掛かる。これにより、光部品収納ケース２０は、図５Ａに示すように、引出位置にラッチされた状態（ラッチ状態）となる。
【００６２】
上記の通り、本実施形態では、タブ３０が引っ張られると、第１解除部３６Ａ（解除部）によって爪部２５Ａが第１係止部１４Ａ（係止部）から外れるとともに、タブ３０からの力を受けて光部品収納ケース２０が収納位置（所定位置）から引き出される。つまり、タブ３０を引っ張る操作だけで、ラッチ状態を解除するラッチ解除操作と、光部品収納ケース２０を引き出す引出操作の両方を行うことができる。
【００６３】
＜挿入操作について＞
次に、光部品収納ケース２０を引出位置（図２Ｂ参照）から収納位置（図２Ａ参照）に移動させるための挿入操作について説明する。
【００６４】
図５Ａに示すように、光部品収納ケース２０が引出位置にあるとき、ラッチ解除部３５の凹部３５Ａは、第２係止部１４Ｂの位置にある。爪部２５Ａは、凹部３５Ａと対向しており、第２係止部１４Ｂに引っ掛かっている。これにより、光部品収納ケース２０は、引出位置にラッチされた状態（ラッチ状態）となっている。
【００６５】
挿入操作の際、作業者は、引出位置にある光部品収納ケース２０のタブ３０の突出部３３（図２Ｂ参照）を摘まみ、タブ３０を後側へ押すことになる。図５Ｂは、引出位置にある光部品収納ケース２０のタブ３０を後側へ押したときの下ガイド部材２２及びタブ３０の断面図である。
【００６６】
既に説明したように、タブ３０は、本体部２１や下ガイド部材２２に対して、前後方向に移動可能に構成されている。このため、タブ３０が後側へ押されると、タブ３０は、下ガイド部材２２に対して後に移動する。この結果、第２係止部１４Ｂの位置にあった凹部３５Ａは後側に移動し、代わりに、ラッチ解除部３５の第２解除部３６Ｂが第２係止部１４Ｂの位置に移動する。第２解除部３６Ｂは、凹部３５Ａよりも下側（爪部２５Ａ側）に突出した部位であるため、第２解除部３６Ｂが第２係止部１４Ｂの位置に移動すると、爪部２５Ａが第２解除部３６Ｂによって下側に押し下げられる。第２解除部３６Ｂが爪部２５Ａを下側に押し下げることによって、図５Ｂに示すように、第２係止部１４Ｂに引っ掛かっていた爪部２５Ａが外れて、ラッチ状態が解除される。
【００６７】
また、タブ３０が下ガイド部材２２に対して後側に移動すると、タブ３０の貫通穴３２Ａの縁部が、下ガイド部材２２の上凸部２３１の前側端面と接触する。このため、第２係止部１４Ｂに引っ掛かっていた爪部２５Ａが外れた状態（ラッチ解除状態）でタブ３０が後側に押し込まれると、光部品収納ケース２０の本体部２１は、下ガイド部材２２の上凸部２３１を介してタブ３０から後側への力を受けて、後側へ移動することになる。これにより、光部品収納ケース２０が引出位置（図２Ｂ、図５Ｂ参照）から収納位置（図２Ａ、図４Ａ参照）に移動させることができる。
【００６８】
なお、本実施形態では、２つの上凸部２３１の前後方向の間に挿通穴２３２が配置されており、２つの貫通穴３２Ａの間にラッチ解除部３５が配置されている。このため、図５Ｂに示すように、タブ３０の貫通穴３２Ａの縁部と、下ガイド部材２２の上凸部２３１の後側端面との接触箇所は２箇所になり、この２箇所（接触箇所）は、係合部２５の爪部２５Ａやタブ３０のラッチ解除部３５を前後方向に挟むように配置されることになる。これにより、接触箇所が偏って配置される場合と比べて、ラッチ解除を安定的に行うことができる。
【００６９】
上記の通り、本実施形態では、タブ３０が押し込まれると、第２解除部３６Ｂ（解除部）によって爪部２５Ａが第２係止部１４Ｂ（係止部）から外れるとともに、タブ３０からの力を受けて光部品収納ケース２０が引出位置（所定位置）から押し込まれる。つまり、タブ３０を押し込む操作だけで、ラッチ状態を解除するラッチ解除操作と、光部品収納ケース２０を押し込む押込操作（挿入操作）の両方を行うことができる。
【００７０】
＝＝＝第２実施形態＝＝＝
図６は、第２実施形態のキャビネット１内の光配線ユニット７を前側から見た説明図である。
【００７１】
前述の第１実施形態では、ラック１０が複数の光部品収納ケース２０を左右方向に並べて収容しているのに対し（図１参照）、第２実施形態では、ラック１０が複数の光部品収納ケース２０を上下方向に並べて収容している。このように、複数の光部品収納ケース２０の並ぶ方向は、左右方向に限られるものではない。
【００７２】
また、前述の第１実施形態では、光部品収納ケース２０の複数のアダプタ２１Ｂが上下方向に並んで配置されているのに対し（図１参照）、第２実施形態では、複数のアダプタ２１Ｂが左右方向に並んで配置されている。このように、光部品収納ケース２０の複数のアダプタ２１Ｂが並ぶ方向は、上下方向（鉛直方向）に限られるものではない。
【００７３】
また、前述の第１実施形態では、タブ３０（及び結束部３４）が光部品収納ケース２０の下側に配置されているのに対し、第２実施形態では、タブ３０（及び結束部３４）が光部品収納ケース２０の右側に配置されている。このように、光部品収納ケース２０に対するタブ３０（及び結束部３４）の位置は、下側に限られるものではない。なお、タブ３０（及び結束部３４）が光部品収納ケース２０の横に配置される場合、光コネクタから延び出る光ファイバコードを結束部３４に結束させただけでは、タブ３０に光ファイバコードの重みがかかり、タブ３０が変形するおそれがある。このため、図６に示すように、タブ３０（及び結束部３４）が光部品収納ケース２０の横に配置される場合には、収納棚３に光ファイバコードを懸架できる懸架部６（吊下部）を設けることが望ましい。
【００７４】
なお、第２実施形態においても、光配線ユニット７は、光部品収納ケース２０と、ラック１０とを備えており、ラックには不図示の第１係止部１４Ａ（係止部に相当）と第２係止部１４Ｂ（係止部に相当）が設けられている。また、第２実施形態においても、光部品収納ケース２０は、本体部２１とタブ３０とを有し、本体部２１には不図示の爪部２５Ａが設けられており、タブ３０には、不図示の第１解除部３６Ａ（解除部に相当）及び第２解除部３６Ｂ（解除部に相当）が設けられている。そして、第２実施形態においても、タブ３０が引っ張られると、第１解除部３６Ａによって爪部２５Ａが第１係止部１４Ａから外れるとともに、タブ３０からの力を受けて光部品収納ケース２０が収納位置（所定位置）から引き出される。つまり、第２実施形態においても、タブ３０を引っ張る操作だけで、ラッチ状態を解除するラッチ解除操作と、光部品収納ケース２０を引き出す引出操作の両方を行うことができる。また、第２実施形態においても、タブ３０が押し込まれると、第２解除部３６Ｂによって爪部２５Ａが第２係止部１４Ｂから外れるとともに、タブ３０からの力を受けて光部品収納ケース２０が引出位置（所定位置）から押し込まれる。つまり、第２実施形態においても、タブ３０を押し込む操作だけで、ラッチ状態を解除するラッチ解除操作と、光部品収納ケース２０を押し込む押込操作（挿入操作）の両方を行うことができる。
【００７５】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００７６】
１  キャビネット、３  収納棚、
５  トレー、５Ａ  仕切り板、６  懸架部、
７  光配線ユニット、１０  ラック、
１１  上部フレーム、１１Ａ  上スライドレール、
１３  下部フレーム、１３Ａ  下スライドレール、
１４Ａ  第１係止部、１４Ｂ  第２係止部、
１６  支持部、１７  規制部、
１７Ａ  規制板、１７Ｂ  留め具、
２０  光部品収納ケース、２１  本体部、
２１Ａ  収容部、２１Ｂ  アダプタ、
２１Ｃ  上ガイド部、２１Ｄ  取付穴、
２２  下ガイド部材、２３  板部、
２３１  上凸部、２３２  挿通穴、
２４  下ガイド部、２４Ａ  前側ガイド部、２４Ｂ  後側ガイド部、
２４１  下突条部、２４２  幅広部、２４３  前側端面、
２５  係合部、２５Ａ  爪部、２５Ｂ  アーム部、
３０  タブ、３１  タブ本体、
３２  後部、３２Ａ  貫通穴、３３  突出部、
３４  結束部、３４Ａ  拘束部、３４Ｂ  スリット、
３５  ラッチ解除部、３５Ａ  凹部、
３６Ａ  第１解除部、３６Ｂ  第２解除部、
【図１】
2018010033.tif 000003
【図２】
2018010033.tif 000004
【図３】
2018010033.tif 000005
【図４】
2018010033.tif 000006
【図５】
2018010033.tif 000007
【図６】
2018010033.tif 000008
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
光コネクタが接続される接続部を有する光部品収納ケースと、前記光部品収納ケースを収納するラックとを備えた光配線ユニットであって、
前記ラックは、前記光部品収納ケースを所定位置で係止させる係止部を有し、
前記光部品収納ケースは、本体部と、タブとを有し、
前記本体部は、前記係止部に引っ掛かる爪部を有し、
前記タブは、前記本体部に対して所定方向に移動可能に設けられ、前記爪部を前記係止部から外すための解除部を有し、
前記タブが押し込まれると、前記解除部によって前記爪部が前記係止部から外れるとともに、前記タブから力を受けて前記光部品収納ケースが前記所定位置から押し込まれる
ことを特徴とする光配線ユニット。
【請求項２】
光コネクタが接続される接続部を有する光部品収納ケースと、前記光部品収納ケースを移動可能に収納するラックとを備えた光配線ユニットであって、
前記ラックは、前記光部品収納ケースを移動方向の所定位置に保持するために前記光部品収納ケースを係止させる係止部を有し、
前記光部品収納ケースは、本体部と、前記本体部を前記ラックに収納するために押し込まれるタブとを有し、
前記本体部は、前記ラックの前記係止部に引っ掛かる爪部を有し、
前記タブは、前記爪部を前記係止部から外す解除部と、前記本体部に接触可能な接触部とを有し、
前記タブは、押し込むという一操作により、前記本体部に対して相対的に移動して前記解除部によって前記爪部を前記係止部から外すとともに、前記接触部によって前記爪部を外した前記本体部を移動させる
ことを特徴とする光配線ユニット。
【請求項３】
請求項１又は２に記載の光配線ユニットであって、
前記タブは、引っ張るという一操作により、前記本体部に対して相対的に移動して前記解除部によって前記爪部を前記係止部から外すとともに、前記タブに設けられた接触部によって前記爪部を外した前記本体部を移動させる
ことを特徴とする光配線ユニット。
【請求項４】
請求項１〜３のいずれかに記載の光配線ユニットであって、
前記タブは、前記光部品収納ケースが前記所定位置にあるときに前記本体部から突出した突出部を有することを特徴とする光配線ユニット。
【請求項５】
請求項１〜４のいずれかに記載の光配線ユニットであって、
前記タブの鉛直方向の位置は、前記光配線ユニットの中心よりも下側に配置されていることを特徴とする光配線ユニット。
【請求項６】
請求項１〜５のいずれかに記載の光配線ユニットであって、
前記タブの端部には、前記光コネクタから延び出る光ファイバコードを束ねるための結束部が設けられていることを特徴とする光配線ユニット。
【請求項７】
請求項６に記載の光配線ユニットであって、
前記結束部は、前記接続部から見て下側に配置されていることを特徴とする光配線ユニット。
【請求項８】
請求項６又は７に記載の光配線ユニットであって、
前記結束部は、前記光部品収納ケースが前記所定位置にあるときに前記本体部から突出した突出部に配置されていることを特徴とする光配線ユニット。
【請求項９】
請求項１〜８のいずれかに記載の光配線ユニットであって、
前記ラックは、前記光部品収納ケースの移動を案内するレールを有し、
前記係止部は前記レールに形成されており、
前記解除部は、前記レールに挿通されていることを特徴とする光配線ユニット。
【請求項１０】
光コネクタが接続される接続部を有し、ラックに収容される光部品収納ケースであって、
前記光部品収納ケースは、本体部と、タブとを有し、
前記本体部は、前記光部品収納ケースを所定位置で係止させるために前記ラックに形成された係止部に引っ掛かる爪部を有し、
前記タブは、前記本体部に対して所定方向に移動可能に設けられ、前記爪部を前記係止部から外すための解除部を有し、
前記タブが押し込まれると、前記解除部によって前記爪部が前記係止部から外れるとともに、前記タブから力を受けて前記所定位置から押し込まれる
ことを特徴とする光部品収納ケース。
【請求項１１】
光コネクタが接続される接続部を有し、ラックに移動可能に収容される光部品収納ケースであって、
前記光部品収納ケースは、本体部と、前記本体部を前記ラックに収納するために押し込まれるタブとを有し、
前記本体部は、前記光部品収納ケースを移動方向の所定位置に保持するために前記ラックに形成され前記光部品収納ケースを係止させる係止部に引っ掛かる爪部を有し、
前記タブは、前記爪部を前記係止部から外すための解除部と、前記本体部に接触可能な接触部とを有し、
前記タブは、押し込むという一操作により、前記本体部に対して相対的に移動して前記解除部によって前記爪部を前記係止部から外すとともに、前記接触部によって前記爪部を外した前記本体部を移動させる
ことを特徴とする光部品収納ケース。
【手続補正２】
【補正対象書類名】明細書
【補正対象項目名】０００６
【補正方法】変更
【補正の内容】
【０００６】
本発明の幾つかの実施形態は、光コネクタが接続される接続部を有する光部品収納ケースと、前記光部品収納ケースを収納するラックとを備えた光配線ユニットであって、前記ラックは、前記光部品収納ケースを所定位置で係止させる係止部を有し、前記光部品収納ケースは、本体部と、タブとを有し、前記本体部は、前記係止部に引っ掛かる爪部と、端部に前記爪部を有し弾性変形するアーム部とを有し、前記タブは、前記本体部に対して所定方向に移動可能に設けられ、前記爪部を前記係止部から外すためのラッチ解除部を有し、前記タブが押し込まれると、前記ラッチ解除部によって前記爪部が前記係止部から外れるとともに、前記タブから力を受けて前記光部品収納ケースが前記所定位置から押し込まれることを特徴とする光配線ユニットである。
また、本発明の幾つかの実施形態は、光コネクタが接続される接続部を有する光部品収納ケースと、前記光部品収納ケースを移動可能に収納するラックとを備えた光配線ユニットであって、前記ラックは、前記光部品収納ケースを移動方向の所定位置に保持するために前記光部品収納ケースを係止させる係止部を有し、前記光部品収納ケースは、本体部と、前記本体部を前記ラックに収納するために押し込まれるタブとを有し、前記本体部は、前記ラックの前記係止部に引っ掛かる爪部を有し、前記タブは、前記爪部を前記係止部から外す解除部と、前記本体部に接触可能な接触部とを有し、前記タブは、押し込むという一操作により、前記本体部に対して相対的に移動して前記解除部によって前記爪部を前記係止部から外すとともに、前記接触部によって前記爪部を外した前記本体部を移動させることを特徴とする光配線ユニットである。